(57)【要約】【課題】  インターロックスイッチを増やすことなく不必要な負荷への電源供給を停止し、突入電流も抑えることができる画像形成装置を提供する。【解決手段】  カバーまたはドアの開閉に連動して開閉するインターロックスイッチ９を備えた画像形成装置において、インターロックスイッチ９の開閉を検出して、インターロックスイッチ９を介した経路の負荷７と、インターロックスイッチ９を介さない経路の負荷８の双方への給電を制御する制御部５を備えた。【選択図】  図１
2007206462.tif 000002
【特許請求の範囲】
【請求項１】
カバーまたはドアの開閉に連動して開閉するインターロックスイッチを備えた画像形成装置において、前記インターロックスイッチの開閉を検出して、前記インターロックスイッチを介した経路の負荷と、前記インターロックスイッチを介さない経路の負荷の双方への給電を制御する制御部を備えたことを特徴とする画像形成装置。
【請求項２】
請求項１記載の画像形成装置において、前記制御部は、複数の負荷への給電を個別に制御することを特徴とする画像形成装置。
【請求項３】
請求項１記載の画像形成装置において、前記インターロックスイッチを介さない経路の負荷への給電復帰を行う操作部を備えたことを特徴とする画像形成装置。
【発明の詳細な説明】
【技術分野】
【０００１】
本発明は、カバーまたはドアの開閉に連動して開閉するインターロックスイッチを備えた画像形成装置に関する。
【背景技術】
【０００２】
電子写真プロセスを用いた画像形成装置は、静電潜像を感光体表面に形成するための感光体の帯電、トナーを静電的に付着させて可視像とする現像、感光体表面に形成されたトナー像を用紙に付着させる転写、用紙を感光体から離すための分離などの工程を有し、それぞれの工程にて高電圧を発生させる。また、用紙にトナーを固着させる定着プロセスでは高温発生部があり、さらには各ユニットを駆動させるための駆動部が存在する。
使用者の手が届く位置にある高電圧発生部、高温部、駆動部等への電源供給は、カバーまたはドアを開けると安全確保のためのインターロックスイッチが働き、停止されるようになっている。
【発明の開示】
【発明が解決しようとする課題】
【０００３】
ここで通電定格から複数のインターロックスイッチが必要となっているが、コスト、レイアウト、配線の問題が発生する。また、遮断した電源供給を復帰させる際に突入電流が発生する。この突入電流を回避するためカバーまたはドア開時に電源供給が不必要なユニットにも電源を供給しており、消費電力の観点からも課題がある。
本発明は、インターロックスイッチを増やすことなく不必要な負荷への電源供給を停止し、突入電流も抑えることができる画像形成装置を提供することを目的とする。
【課題を解決するための手段】
【０００４】
上記目的を達成するために、請求項１記載の発明は、カバーまたはドアの開閉に連動して開閉するインターロックスイッチを備えた画像形成装置において、インターロックスイッチの開閉を検出して、インターロックスイッチを介した経路の負荷と、インターロックスイッチを介さない経路の負荷の双方への給電を制御する制御部を備えた画像形成装置を最も主要な特徴とする。
請求項２記載の発明は、請求項１記載の画像形成装置において、制御部は、複数の負荷への給電を個別に制御する機能を有する画像形成装置を主要な特徴とする。
請求項３記載の発明は、請求項１記載の画像形成装置において、インターロックスイッチを介さない経路の負荷への給電復帰を行う操作部を備えた画像形成装置を主要な特徴とする。
【発明の効果】
【０００５】
本発明は、カバーまたはドアの開閉に連動して開閉するインターロックスイッチを備えた画像形成装置において、インターロックスイッチの開閉を検出して、インターロックスイッチを介した経路の負荷と、インターロックスイッチを介さない経路の負荷の双方への給電を制御する制御部を備えたので、インターロックスイッチを増やすことなく不必要な負荷への電源供給を停止し、突入電流も抑えることができる。
【発明を実施するための最良の形態】
【０００６】
以下、本発明の実施形態を図面に従って説明する。
図１は本発明の第１の実施形態に係る画像形成装置の電源回路図である。また図２は第１の実施形態に係る電源回路のタイミングチャートである（その１）。図１に示すように、５Ｖ電源回路１、１２Ｖ電源回路２、２４Ｖ電源回路Ａ３、２４Ｖ電源回路Ｂ４が夫々、５Ｖ系負荷（制御部）５、１２Ｖ系負荷６、２４Ｖ系負荷Ａ７、２４Ｖ系負荷Ｂ８に電源を供給するように接続されている。各電源はＤＣ電源である。
また２４Ｖ電源回路Ａ３と２４Ｖ系負荷Ａ７のラインにインターロックスイッチ９が設けてあり、このラインのインターロックスイッチ９の下流側から制御部にスイッチ検出信号用のラインが延びている。
周知の図示しないカバーまたはドアと連動するインターロックスイッチ９の開閉状態をスイッチ検出信号として制御部５にて監視する。インターロックスイッチ９が開けば２４Ｖ系負荷Ａ７への給電は停止される。このとき制御部５は、インターロックスイッチ９が開いたことを認識して２４Ｖ電源回路Ａ３、２４Ｖ電源回路Ｂ４のＯＮ／ＯＦＦ制御信号を出力停止となる状態に制御し、２４Ｖ電源回路Ａ３、２４Ｖ電源回路Ｂの出力を停止する（図２参照）。
【０００７】
２４Ｖ電源回路内部に使用されている制御ＩＣには出力のＯＮ／ＯＦＦを切替えるポート（端子）があり、ＯＦＦに切替えるとスイッチング動作（発振）を停止し、出力がＯＦＦされる。この機能は近年の電源回路では省エネ対応のために用いられる既知の機能である。
また、インターロックスイッチ９が閉じたことを認識すると、ＯＮ／ＯＦＦ制御信号が電源出力となる状態に制御され、２４Ｖ系負荷Ａ７、２４Ｖ系負荷Ｂ８に給電される。
このようにインターロックスイッチ９を介さずとも２４Ｖ系負荷Ｂ８への給電を停止し、かつ２４Ｖ電源回路Ａ３、２４Ｖ電源回路Ｂ４の出力自体を停止するので、単にスイッチで電源を遮断するよりも消費電力を削減することができる。また、インターロックスイッチにて２４Ｖ電源回路を直接繋ぐのではなく、０Ｖから出力を開始するので突入電流を抑えることが可能である。
【０００８】
図３は本発明の第２の実施形態に係る画像形成装置の電源回路図である。同じ構成要素には図２と同じ参照番号を付して説明する。また図４は第２の実施形態に係る電源回路のタイミングチャートである（その２）。本実施形態では、２４Ｖ電源回路Ａ３、Ｂ４の  ＯＮ／ＯＦＦ制御信号を独立して設ける。
そして操作部１０から２４Ｖ電源回路Ｂ４の出力ＯＮ／ＯＦＦを設定可能とする。停止に移行する設定であったら、２４Ｖ電源回路Ａ３とＡ同様にインターロックスイッチ９と連動して２４Ｖ電源回路Ｂ４の出力を停止する。停止しない設定であったら、図４のように、２４Ｖ電源回路Ａ３が停止されても２４Ｖ電源回路Ｂ４は出力を続ける。
このように、２４Ｖ電源回路Ｂ４の出力の可否を設定可能とすることで、例えばインターロックスイッチ９でプリンタ本体が動作停止していても、電源系統の異なるスキャナ等を動作させることが可能となる。
【０００９】
図５は本発明の第３の実施形態に係る画像形成装置の電源回路図である。同じ構成要素には図２と同じ参照番号を付して説明する。また図６は第３の実施形態に係る電源回路のタイミングチャートである（その３）。本実施形態では、２４Ｖ電源回路Ａ３、Ｂ４の  ＯＮ／ＯＦＦ制御信号を独立して設ける。
そして、操作部１０に設定スイッチ１１を設け、インターロックスイッチ開時に２４Ｖ電源回路Ｂ４の出力が停止状態でも、設定スイッチ１１を操作することにより、図６のように２４Ｖ電源回路Ｂ４の出力を復帰させる。
このようにするとインターロックスイッチ９で動作が停止していても、容易に復帰させることが可能となり、例えばプリンタ本体が動作停止していても、電源系統の異なるスキャナ等を動作させることが可能となる。
【００１０】
図７は本発明の第４の実施形態に係る画像形成装置の電源回路図である。同じ構成要素には図２と同じ参照番号を付して説明する。また図８は第４の実施形態に係る電源回路のタイミングチャートである（その４）。本実施形態では、２４Ｖ電源回路Ａ３、Ｂ４の  ＯＮ／ＯＦＦ制御信号を独立して設ける。そして、スキャナの原稿セット検知センサ１２にて２４Ｖ電源回路Ｂ４の出力を復帰させる。
このようにすると、インターロックスイッチ９で動作が停止していても、原稿がセットされたら、２４Ｖ電源回路Ｂ４を容易に復帰させることが可能となり、例えばプリンタ本体が動作停止していても、電源系統の異なるスキャナ等を動作させることが可能となる。
【００１１】
図９は第４の実施形態に係る電源回路のタイミングチャートである（その５）。インターロックスイッチ９の開時に２４Ｖ電源回路Ａ３、Ｂ４を停止させるが、２４Ｖ電源回路Ａ３を停止した後、時間差をもって２４Ｖ電源回路Ｂ４を停止する。２４Ｖ電源回路Ｂ４は安全性には問題無いので、インターロックスイッチ９と同時に出力を遮断する必要は無い。遮断を遅らせることにより、スキャナ等を動作させるときに直ぐに対応が可能である。
【００１２】
図１０は第４の実施形態に係る電源回路のタイミングチャートである（その６）。インターロックスイッチ９の閉時に２４Ｖ電源回路Ａ３、Ｂ４の出力を復帰させるが、２４Ｖ電源回路Ａ３を復帰した後、時間差をもって２４Ｖ電源回路Ｂ４を復帰する。時間差をもって電源を復帰させることにより、負荷への電源供給がずれて電源の変動幅が抑えられ、消費電力のピークも抑えることができる。
【００１３】
図１１は本発明の第５の実施形態に係る画像形成装置の電源回路図である。同じ構成要素には図２と同じ参照番号を付して説明する。本実施形態では、５Ｖ電源回路を２系統（１−１、１−２）、５Ｖ系負荷を２系統（５−１、５−２）設ける。そして駆動系等の２４Ｖ系負荷のみではなく、制御系に供給される５Ｖ系等でも、電源遮断に問題が無い負荷であれば電源（５Ｖ電源回路Ｂ１−２）の出力を停止する。
【００１４】
図１２は本発明の第６の実施形態に係る画像形成装置の電源回路図である。同じ構成要素には図２と同じ参照番号を付して説明する。本実施形態では、第５の実施形態において、制御系に供給する電源を遮断する場合、保存しておくべきデータがあれば、電源が遮断されないようにする。５Ｖ系負荷Ｂ５−２から５Ｖ系負荷Ａ５−１、または電源が遮断されても記憶しておける不揮発性メモリ等にデータを保存し、保存後に５Ｖ電源回路Ｂ１−２を停止する。
【００１５】
図１３はタイミングチャート（その７）である。駆動系、制御系ともに電源を遮断する場合、駆動系の電源を遮断してから制御系の電源を遮断する。このようにするのは、駆動系より先に制御系の電源を停止すると駆動系が非制御の状態となり、誤動作や安全性に問題が発生する危険性があるためである。
【００１６】
図１４はタイミングチャート（その８）である。駆動系、制御系ともに電源を遮断した場合、復帰時には制御系の電源を復帰してから駆動系の電源を復帰する。このようにするのは、制御系より先に駆動系の電源を復帰すると駆動系が非制御の状態となり、誤動作や安全性に問題が発生する危険性があるためである。
【図面の簡単な説明】
【００１７】
【図１】本発明の第１の実施形態に係る画像形成装置の電源回路図である。
【図２】第１の実施形態に係る電源回路のタイミングチャート（その１）である。
【図３】本発明の第２の実施形態に係る画像形成装置の電源回路図である。
【図４】第２の実施形態に係る電源回路のタイミングチャート（その２）である。
【図５】本発明の第３の実施形態に係る画像形成装置の電源回路図である。
【図６】第３の実施形態に係る電源回路のタイミングチャート（その３）である。
【図７】本発明の第４の実施形態に係る画像形成装置の電源回路図である。
【図８】第４の実施形態に係る電源回路のタイミングチャート（その４）である。
【図９】タイミングチャート（その５）である。
【図１０】タイミングチャート（その６）である。
【図１１】本発明の第５の実施形態に係る画像形成装置の電源回路図である。
【図１２】本発明の第６の実施形態に係る画像形成装置の電源回路図である。
【図１３】タイミングチャートである（その７）。
【図１４】タイミングチャートである（その８）。
【符号の説明】
【００１８】
５  ５Ｖ系負荷（制御部）
７  ２４Ｖ系負荷Ａ
８  ２４Ｖ系負荷Ｂ
９  インターロックスイッチ
【図１】
2007206462.tif 000003
【図２】
2007206462.tif 000004
【図３】
2007206462.tif 000005
【図４】
2007206462.tif 000006
【図５】
2007206462.tif 000007
【図６】
2007206462.tif 000008
【図７】
2007206462.tif 000009
【図８】
2007206462.tif 000010
【図９】
2007206462.tif 000011
【図１０】
2007206462.tif 000012
【図１１】
2007206462.tif 000013
【図１２】
2007206462.tif 000014
【図１３】
2007206462.tif 000015
【図１４】
2007206462.tif 000016